(57)【要約】      （修正有）【課題】従来のような球状部がなく、スクリーンの製造が簡単である上、巻かれたスクリーンの体積が余計に大きくならない遮光装置を提供する。【解決手段】スクリーン２２は、それの両側縁部が一対のガイド手段３０に案内されて展開された時に該両側縁部と共に展開して矩形の平面形になる本体部２２１を有し、またガイド手段の案内溝は展開方向に沿って所定長さに形成されると共に、その断面において本体部の巾方向に第１の深さがあり且つ第１の深さと垂直になる方向に第２の深さがあり、またスクリーンの側縁部を挿入される開口が、第１の深さと前記所定長さとを有する、該案内溝の一面に展開方向に沿うように形成してあり、更にスクリーンの両側縁部は、開口を通して案内溝内に挿入できるように折畳み可能であり、且つ、両側縁部それぞれの折畳まれた先端部２２２ａの、巾方向に沿う巾は、少なくとも案内溝の第２の深さより長い。【選択図】図１
0003130336.tif 000002
【実用新案登録請求の範囲】
【請求項１】
可撓性のあるスクリーンが先頭を引出されて展開され得るように回転軸棒に巻かれているスクリーン手段と、前記スクリーンが展開方向へ引出されるとその両側縁部を案内溝で案内する一対のガイド手段とからなる遮光装置において、
前記スクリーンは、前記両側縁部が前記一対のガイド手段に案内されて展開された時に該両側縁部と共に展開して矩形の平面形になる本体部を有し、
前記案内溝は、前記展開方向に沿って所定長さに形成されると共に、その横断面において前記本体部の巾方向に第１の深さがあり且つ前記第１の深さと垂直になる方向に第２の深さがあり、また前記スクリーンの側縁部を挿入される開口が、前記第１の深さと前記所定長さとを有する、該案内溝の一面に前記展開方向に沿うように形成してあり、
更に前記スクリーンの前記両側縁部は、前記開口を通して前記案内溝内に挿入できるように少なくとも一部が折畳み可能であり、且つ、前記両側縁部それぞれの折畳まれた先端部の、前記巾方向に沿う巾は、少なくとも前記案内溝の第２の深さより長いことを特徴とする遮光装置。
【請求項２】
前記スクリーンの前記両側縁部は、硬直性がより高い先端部と、前記先端部と同様に前記案内溝にも挿入されるが、前記本体部と同質である上、前記本体部と一体になった過渡部とからなっており、また、前記先端部の巾は前記案内溝の第２の深さより長いことを特徴とする、請求項１に記載の遮光装置。
【請求項３】
前記硬直性がより高い先端部は、熱圧加工により形成されたものであることを特徴とする、請求項２に記載の遮光装置。
【請求項４】
前記硬直性がより高い先端部は、前記本体部と同質であるプラスチック片を、前記本体部と一体になった過渡部の側縁部に沿って熱圧加工により付着させて成るものであることを特徴とする、請求項２に記載の遮光装置。
【請求項５】
前記スクリーン手段及び前記一対のガイド手段は、いずれも、それを平面に取付けるための取付手段が付設されていることを特徴とする、請求項１〜４の何れかに記載の遮光装置。
【請求項６】
前記スクリーン手段は、前記スクリーンを載置している前記軸棒と、前記軸棒を両端から回転自在に保持している一対の軸受けとを備え、前記一対の軸受けに、引出されたり繰り戻されたりするスクリーンをそれぞれ押さえながら回転することができる押えローラ手段が設置されていることを特徴とする、請求項１〜５の何れかに記載の遮光装置。
【考案の詳細な説明】
【技術分野】
【０００１】
本考案は、遮光装置に関し、特に操作により自動車のサンルーフ又は他の窓ガラスの入射光を自在に遮ることができる遮光装置に関する。
【背景技術】
【０００２】
従来のこの種の遮光装置としては、例えば図７と図８に示すようなものがある。このような遮光装置は自動車のサンルーフに使用される場合、図示のように、自動車のサンルーフの側辺に沿って取付けられる長筒形の巻取り軸４０と、巻取り軸４０に巻き取られていてそれからそれと対応する他の側辺に引出されて自動車のサンルーフを遮るように展開される可撓性の平面状スクリーン５０と、それらの間に間隔を開けてスクリーン５０の展開方向上に互いに平行するように配置されていてスクリーン５０を前記他の側辺へ摺動可能に案内して展開させる一対のレール６０とからなる。
【０００３】
このような遮光装置は、スクリーン５０の先頭における固定部５１が前記他の側辺に引出されて固定されると、スクリーン５０の両側縁部５０ａに設けてある複数の球状部５２がレール６０の溝部６１内に渡って一連になるように保持されるので、スクリーン５０が平面状に展開され自動車のサンルーフを遮り、入射光を遮断し、遮光の効果を奏することができるが、展開されたスクリーン５０が巻取り軸４０に繰り戻される場合、複数の球状部５２がスクリーン５０と共に巻取り軸４０上に重なって巻かれるため、巻かれたスクリーン５０の体積が余計に大きくなるばかりでなく、その巻取り軸４０の周囲に設置されていて巻かれたスクリーン５０を塵埃から遮蔽するためのスクリン保持枠も相当大きくならなければならない。また、スクリーン５０の両側縁部５０ａに球状部５２を設ける、という製造工程も複雑であるため、コストが高くなる問題もある。
【考案の開示】
【考案が解決しようとする課題】
【０００４】
前記に鑑みて、本考案は、上記問題点を解消しようとするもので、スクリーンの製造が簡単である上、巻かれたスクリーンの体積が余計に大きくならない遮光装置を提供しようとすることをその目的とする。
【課題を解決するための手段】
【０００５】
上記目的を達成するために、請求項１の考案は、その可撓性のあるスクリーンが先頭を引出されて展開されうるように回転軸棒に巻かれているスクリーン手段と、スクリーンが展開方向へ引出されるとその両側縁部を案内溝で案内する一対のガイド手段とからなる遮光装置において、前記スクリーンは、前記両側縁部が前記一対のガイド手段に案内されて展開された時に該両側縁部と共に展開して矩形の平面形になる本体部を有し、前記案内溝は、前記展開方向に沿って所定長さに形成されると共に、その横断面において前記本体部の巾方向に第１の深さがあり且つ前記第１の深さと垂直になる方向に第２の深さがあり、また前記スクリーンの側縁部を挿入される開口が、前記第１の深さと前記所定長さとを有する、該案内溝の一面に前記展開方向に沿うように形成してあり、更に前記スクリーンの前記両側縁部は、前記開口を通して前記案内溝内に挿入できるように少なくとも一部が折畳み可能であり、且つ、前記両側縁部それぞれの折畳まれた先端部の、前記巾方向に沿う巾は、少なくとも前記案内溝の第２の深さより長いことを特徴とする。
【０００６】
また請求項２の考案は、請求項１の特徴に加えて、前記スクリーンの前記両側縁部は、硬直性がより高い先端部と、前記先端部と同様に前記案内溝にも挿入されるが、前記本体部と同質である上、前記本体部と一体になった過渡部とからなっており、また、前記先端部の巾は前記案内溝の第２の深さより長いことを特徴とする。
【０００７】
また請求項３の考案は、請求項２の特徴に加えて、前記硬直性がより高い先端部は、熱圧加工により形成されたものであることを特徴とする。
【０００８】
また請求項４の考案は、請求項２の特徴に加えて、前記硬直性がより高い先端部は、前記本体部と同質であるプラスチック片を、前記本体部と一体になった過渡部の側縁部に沿って熱圧加工により付着させて成るものであることを特徴とする。
【０００９】
また請求項５の考案は、請求項１〜４の何れかの特徴に加えて、前記スクリーン手段及び前記一対のガイド手段は、いずれも、それを平面に取付けるための取付手段が付設されていることを特徴とする。
【００１０】
また請求項６の考案は、請求項１〜５の何れかの特徴に加えて、前記スクリーン手段は、前記スクリーンを載置している前記軸棒と、前記軸棒を両端から回転自在に保持している一対の軸受けとを備え、前記一対の軸受けに、引出されたり繰り戻されたりするスクリーンをそれぞれ押さえながら回転することができる押えローラ手段が設置されていることを特徴とする。
【考案の効果】
【００１１】
前記構成のある本考案の遮光装置は、スクリーンの両側縁部が、案内溝の開口を通して案内溝内に挿入できるように少なくとも一部が折畳み可能であり、且つ、両側縁部それぞれの折畳まれた先端部の、前記巾方向に沿う巾が少なくとも案内溝の第２の深さより長いので、スクリーンの両側縁部は折畳まれてから、案内溝の開口に挿入されて、挿入方向の反対方向へその先端部が開口の該反対方向にある壁面に突っ張ることにより本体部を平面状に保持することができ、これにより、従来のようなスクリーンの両側縁部に複数の球状部を設ける必要がなく、巻かれたスクリーンの体積が余計に大きくならない。
【００１２】
さらに、本考案の遮光装置は、従来のような球状部がないので、製造が遥かに簡単になる。
【考案を実施するための最良の形態】
【００１３】
本考案の実施の形態を、添付図面に例示した本考案の実施例に基づいて以下に具体的に説明する。
【００１４】
図１は本考案の実施例１の遮光装置のスクリーンの展開状態を示す分解斜視図であり、図２は図１に示した同装置の一部を示す断面図である。
【００１５】
以下の説明においては、本考案の遮光装置を自動車のサンルーフに用いる使用例について説明するが、自動車のサンルーフに限らず、他の窓ガラスも適用される。
【００１６】
図１に示すように、この例の遮光装置は、主として、互いに向かい合っている２側辺１１、１２を有する自動車のサンルーフ１０の内面の一側辺１１の傍に沿って取付けられるスクリーン手段２０と、自動車のサンルーフ１０の２側辺１１、１２と垂直になって互いに平行する他の２側辺１３の傍に沿って取付けられる一対のガイド手段３０とからなっている。スクリーン手段２０は、長筒形の巻取り器２１と、巻取り器２１に巻き取られていてそれからそれと対応する他の側辺１２に引出されてサンルーフ１０を遮るように展開される可撓性のスクリーン２２とからなっている。また、一対のガイド手段３０はスクリーン２２を他の側辺１２へ摺動可能に案内して展開させるものである。
【００１７】
巻取り器２１は、自動車のサンルーフ１０の内面の一側辺１１の傍に沿って取付けられる長筒形のスクリーン保持枠２１１と、スクリーン保持枠２１１の長手方向に沿うようにスクリーン保持枠２１１に回転可能に取付けられ、且つ、スクリーン２２を巻取り状態で保持する上、スクリーン２２が引出されるといつもそれを巻き戻すことができるように構成されている長筒形の巻き戻し手段付き回転軸棒２１２と、回転軸棒２１２を両端から回転自在に保持している一対の軸受け２１３とからなっている。また、スクリーン保持枠２１１は、その中空内部に回転軸棒２１２が収納されている中空体である。
【００１８】
スクリーン２２は、これが展開された時に展開方向に沿って延びる両側部と該展開方向と垂直になる巾方向に沿って延びる両端部とを有する矩形の平面形になる本体部２２１と、本体部２２１の両側部にある両側縁部２２２と、本体部２２１の先頭（一端部）に取付けられていて展開された後の本体部２２１を前記他の側辺１２に脱着可能に固着させる固着手段２２３とを備えている。また、本例においては、固着手段２２３は、前記他の側辺１２に取付けられている係止フックに引っ掛けられる取っ手を例として挙げたが、その限りではない。
【００１９】
一対のガイド手段３０は、それぞれスクリーン２２の両側縁部２２２を展開方向へ引出されて案内する案内溝３１を有する長尺材である。図２をもっと詳しくみると、案内溝３１は、スクリーン２２の最大展開量に対応して前記展開方向に沿って所定長さＬを有しており、その横断面において前記巾方向に第１の深さＨ１があり、該第１の深さＨ１と垂直になる方向に第２の深さＨ２がある。即ち、案内溝３１は、第１の深さＨ１と長さＬとをそれぞれ有する上下二壁部３１Ａ、３１Ｂと、第２の深さＨ２と長さＬとをそれぞれ有する左右二壁部３１Ｃ、３１Ｄとに囲まれてなっている。左右二壁部３１Ｃ、３１Ｄにおける右壁部３１Ｄは内壁として他のガイド手段３０の内壁と対面している。
【００２０】
また、スクリーン２２の側縁部２２２を挿入される案内溝３１の開口３１１は、上下二壁部３１Ａ、３１Ｂにおける上壁部３１Ａの内側縁（即ち右壁部３１Ｄに近い側縁）に沿って形成されている。
【００２１】
さらに、スクリーン２２の両側縁部２２２は、硬直性がより高い（即ち本体部２２１よりも硬い）先端部２２２ａと、該先端部２２２ａと同様に案内溝３１にも挿入されるが、本体部２２１と同質である上、本体部２２１と一体になった過渡部２２２ｂとから、その間が互いに折畳めるようになっている。しかもその両側縁部２２２は、これが折り畳まれていても未だ開口３１１内に挿入されていない時には、各先端部２２２ａの巾方向にある巾Ｗが案内溝３１の第２の深さＨ２より長くなっている。
【００２２】
このような構造があってこそ、両側縁部２２２がその先端部２２２ａを下の方へ折畳まれた状態で開口３１１内に挿入されると、スクリーン２２は、図２のようになることができ、即ち、その両側縁部２２２の先端部２２２ａが、過渡部２２２ｂと面対面で当接した状態からやや回復してその先端で右壁部３１Ｄの内壁面に突っ張ることにより、左右両側に引き伸ばされた平面状に維持されることができる。この例の遮光装置をサンルーフ１０に取付ける時、スクリーン２２の先頭にある両側縁部２２２を前記図２のように案内溝３１内に入れて保持した方が良い。
【００２３】
そうすると、スクリーン２２を展開しようとする場合、固着手段３３を掴んでスクリーン２２を巻取り器２１から引出して前記他の側辺１２に設けてある係止フックに引っ掛けさせれば済む。そうすると、スクリーン２２は、その両側縁部２２２が案内溝３１内に渡って保持され、展開状態の平面状になり、サンルーフ１０を遮ることができる。
【００２４】
また、図３に示すように、この例の遮光装置のスクリーン２２をスクリーン保持枠２１１内に収納しようとする場合、固着手段２２３と係止フックとの係止を解除すれば済む。そうすると、スクリーン２２は、回転軸棒２１２の巻き戻し力によりその先頭だけが案内溝３１内に残って、スクリーン保持枠２１１内に巻き取られることができる。
【００２５】
また、本考案の遮光装置は、巻取り器２１の一対の軸受け２１３に、さらに、引き出されたり繰り戻されたりするスクリーン２２をそれぞれ押さえながら回転することができる一対の押えローラ手段２１４が設置されていても良い（図５参照）。それらの押えローラ手段２１４により、本考案の遮光装置のスクリーン２２を展開や収納する場合、スクリーン２２が平整に引き出されたり繰り戻されたりすることができる。
【００２６】
さらに、本考案の遮光装置においては、前記本体部２２１の両側縁部２２２にある先端部２２２ａは、直接に熱圧加工により形成されたものであるが、熱圧加工により、プラスチック片２２４を本体部２２１の側縁部に沿って付着させてなったものでも良い（図６参照）。
【００２７】
本考案により、スクリーンの両側縁部には複数の球状部を設ける必要がなく、その代わりに熱圧加工により簡単に平らな硬直部（即ち先端部）を形成するので、製造が簡単になる上、回転軸棒に巻き取られた時厚さも遥かに薄くなり、従来のようにスクリン保持枠を大きくする必要がない。
【００２８】
以上、本考案の好適な実施形態について説明したが、本考案は前記実施形態に限定して狭義に解釈されるものではなく、即ち本考案の精神の範囲内において種々の変形や変更が可能である。
【図面の簡単な説明】
【００２９】
【図１】本考案の実施例１の遮光装置のスクリーンの展開状態を示す分解斜視図。
【図２】図１に示した同装置の一部を示す断面図。
【図３】同装置のスクリーンの収納状態を示す分解斜視図。
【図４】同装置の一部を拡大して示す斜視図。
【図５】本考案の遮光装置のスクリーン手段の異なる形態例を拡大して示す斜視図。
【図６】本考案の遮光装置のスクリーン手段の異なる形態例を拡大して示す斜視図。
【図７】従来の遮光装置の斜視図。
【図８】図７に示した同装置の一部の分解斜視図。
【符号の説明】
【００３０】
１０・・・・自動車のサンルーフ
１１、１２、１３・・・側辺
２０・・・・スクリーン手段
２１・・・・巻取り器
２１１・・スクリーン保持枠
２１２・・回転軸棒
２１３・・軸受け
２１４・・押えローラ手段
２２・・・・スクリーン
２２１・・本体部
２２２・・側縁部
２２２ａ・・先端部
２２２ｂ・・過渡部
２２３・・固着手段
２２４・・プラスチック片
３０・・・・ガイド手段
３１・・・・案内溝
３１Ａ、３１Ｂ、３１Ｃ、３１Ｄ・・・壁部
３１１・・開口
Ｈ１・・・・第１の深さ
Ｈ２・・・・第２の深さ
Ｌ・・・・・・長さ
Ｗ・・・・・・側縁部の巾
【図１】
0003130336.tif 000003
【図２】
0003130336.tif 000004
【図３】
0003130336.tif 000005
【図４】
0003130336.tif 000006
【図５】
0003130336.tif 000007
【図６】
0003130336.tif 000008
【図７】
0003130336.tif 000009
【図８】
0003130336.tif 000010